(57)【特許請求の範囲】
【請求項１】
押釦つまみと、押釦つまみを挿通した状態で揺動する揺動つまみと、固定用部材と、前記押釦つまみに設けた押圧部と前記揺動つまみに設けた押圧部に対向する位置にそれぞれ設けたスイッチ接点とを具備し、押釦つまみを押圧することでこれに対向するスイッチ接点を押圧し、一方揺動つまみを揺動することで下降した側に設けた押圧部がこれに対向するスイッチ接点を押圧する構造の多方向押圧型スイッチにおいて、
前記押釦つまみと揺動つまみとは、連結部材によって固定用部材に連結され、
前記連結部材は合成樹脂フイルム製であって、前記押釦つまみを固定する中央に設けた押釦つまみ固定部から、揺動つまみを固定する固定用アームと、固定用部材に取り付けられる取付用アームとを突出して構成され、
さらに前記取付用アームは前記固定用アームよりも長く形成されてその先端近傍が固定用部材に取り付けられることを特徴とする多方向押圧型スイッチ。
【請求項２】
前記揺動つまみの押圧部は、前記連結部材の固定用アームの位置に設けられていることを特徴とする請求項１記載の多方向押圧型スイッチ。
【請求項３】
前記連結部材の押釦つまみ固定部の周囲には、押釦つまみの上下動を容易にする切りこみが設けられていることを特徴とする請求項１又は２記載の多方向押圧型スイッチ。
【発明の詳細な説明】
【０００１】
【発明の属する技術分野】
本発明は、揺動つまみを多方向に揺動させることでその下に配置したスイッチ接点をオンオフし、また揺動つまみの中央に設置した押釦つまみを押圧することでその下に配置したスイッチ接点をオンオフする構造の多方向押圧型スイッチに関するものである。
【０００２】
【従来の技術】
従来、車載用ナビゲーションシステム、コンピュータ、各種携帯機器、各種ＯＡ機器、ゲーム機などを操作するデバイスとして、多方向押圧型スイッチがある。そして多方向押圧型スイッチの中には、円盤状（パッド状）の揺動つまみの中央に押釦つまみを設けた構造のものがある。この多方向押圧型スイッチの一使用例としては、揺動つまみで各種機能を選択し、中央の押釦つまみでその機能を確定するなどである。
【０００３】
しかしながらこの種の従来の多方向押圧型スイッチは、異なる動作をする揺動つまみと押釦つまみを支持する機構が複雑で、部品点数が多く、組み立てが煩雑で、小型化・薄型化が阻害されていた。
【０００４】
【発明が解決しようとする課題】
本発明は上述の点に鑑みてなされたものでありその目的は、部品点数が少なく、その構造・組み立てが簡単で小型化・薄型化が図れる多方向押圧型スイッチを提供することにある。
【０００５】
【課題を解決するための手段】
上記問題点を解決するため本発明は、押釦つまみと、押釦つまみを挿通した状態で揺動する揺動つまみと、固定用部材と、前記押釦つまみに設けた押圧部と前記揺動つまみに設けた押圧部に対向する位置にそれぞれ設けたスイッチ接点とを具備し、押釦つまみを押圧することでこれに対向するスイッチ接点を押圧し、一方揺動つまみを揺動することで下降した側に設けた押圧部がこれに対向するスイッチ接点を押圧する構造の多方向押圧型スイッチにおいて、前記押釦つまみと揺動つまみとは、連結部材によって固定用部材に連結され、前記連結部材は合成樹脂フイルム製であって、前記押釦つまみを固定する中央に設けた押釦つまみ固定部から、揺動つまみを固定する固定用アームと、固定用部材に取り付けられる取付用アームとを突出して構成され、さらに前記取付用アームは前記固定用アームよりも長く形成されてその先端近傍が固定用部材に取り付けられることを特徴とする。
また本発明は、前記揺動つまみの押圧部は、前記連結部材の固定用アームの位置に設けられていることを特徴とする。
また本発明は、前記連結部材の押釦つまみ固定部の周囲には、押釦つまみの上下動を容易にする切りこみが設けられていることを特徴とする。
【０００６】
【発明の実施の形態】
以下、本発明の実施形態を図面に基づいて詳細に説明する。
図１は本発明の一実施形態にかかる多方向押圧型スイッチの分解斜視図である。同図に示すようにこの多方向押圧型スイッチは、ケース１０と、揺動つまみ３０と、押釦つまみ５０と、連結部材６０と、スイッチ基板８０と、基台９０とを具備して構成されている。以下各構成部品について説明する。
【０００７】
ケース１０は合成樹脂をリング状に成形し、中央に開口１１を設けて構成されている。ケース１０の下面には、等間隔に４つの凹部１３が設けられ、各凹部１３近傍には突起状の係止部１５が設けられ、また各係止部１５の横には突起状の固定部１７が設けられている。
【０００８】
図２は揺動つまみ３０をその裏面側から見た斜視図である。同図及び図１に示すように揺動つまみ３０は、合成樹脂を略円盤状に成形して構成されており、その中央に下記する押釦つまみ５０を挿通する円形の挿通孔３１を設け、またその外周につば部３２を設け、またその表面の外周近傍には等間隔に４つの矢印形状の押圧方向指示部３３を設けている。
【０００９】
また揺動つまみ３０の下面の前記各押圧方向指示部３３に対応する位置には、小突起状の押圧部３５が設けられ、また隣り合う押圧部３５の間を仕切るように十字状の薄溝からなる連結部材収納部３７が設けられ、各連結部材収納部３７内には、小突起状のストッパー３９が設けられている。ストッパー３９の高さは、ストッパー３９を挟んだ両側の押圧部３５，３５が同時に下記するスイッチ基板８０のスイッチ接点８１を押圧して作動しようとした際に、両スイッチ接点８１の作動を阻止する高さ寸法に形成されている。
【００１０】
押釦つまみ５０は略円柱形状であってその外周につば部５１を設け、またその下面中央には押圧部５３（図４参照）を設けて構成されている。
【００１１】
連結部材６０は可撓性のある合成樹脂フイルム（例えばポリエチレンテレフタレート（ＰＥＴ）フイルム）製であり、中央に設けた押釦つまみ固定部６１から、４本の固定用アーム６３と、４本の取付用アーム６５とを交互に等間隔に突出して構成されている。
【００１２】
押釦つまみ固定部６１には、前記押釦つまみ５０の押圧部５３を挿通する挿通穴６７と、挿通穴６３の両側の円弧状の一対の切りこみ６９，６９と、両切りこみ６９，６９の切りかかれていない部分の外側の円弧状の一対の切りこみ７１，７１とが設けられている。
【００１３】
４本の固定用アーム６３の先端近傍には、前記揺動つまみ３０の押圧部３５を挿通する挿通穴７３が設けられている。一対の挿通穴７３は切りこみ７１と連通している。
【００１４】
４本の取付用アーム６５は、固定用アーム６３よりも長く形成されており、その先端近傍には前記ケース１０の係止部１５に挿入される取付穴７５が設けられ、また取付穴７５よりも内側の前記揺動つまみ３０のストッパー３９に対向する位置には挿通穴７７が設けられている。
【００１５】
次にスイッチ基板８０は、フレキシブルシートの表面に５つのスイッチ接点８１を設けて構成されている。各スイッチ接点８１は前記押釦つまみ５０の１つの押圧部５３と、揺動つまみ３０の４つの押圧部３５に対向する位置に設置されている。各スイッチ接点８１はフレキシブルシート上に印刷形成した接点パターンとその上に取り付けたドーム形状の弾性金属板製の可動接点板とによって構成されている。なおスイッチ接点はこの構造のものに限定されるものではなく種々の変形が可能であり、例えば２枚のフレキシブルシートに設けた接点パターンを対向することで形成されるスイッチ接点上にクリック用の弾性金属板を設置して構成しても良い。またクリック感覚が不要ならば弾性金属板は用いなくても良い。
【００１６】
またこのスイッチ基板８０の前記ケース１０の固定部１７に対応する位置には、これを貫通する貫通部８３が設けられている。
【００１７】
基台９０は、硬質の例えば金属板によって構成され、前記スイッチ基板８０の各貫通部８３に対応する位置には貫通部９１が設けられている。
【００１８】
そしてこの多方向押圧型スイッチを組み立てるには、ケース１０内に揺動つまみ３０を収納して揺動つまみ３０の上面をケース１０の開口１１から突出し、次に揺動つまみ３０の挿通孔３１に押釦つまみ５０を挿入する。そしてその下面側に連結部材６０を配置して、連結部材６０の表面に貼りつけた両面接着テープによって押釦つまみ５０の下面と揺動つまみ３０の下面とを接着することで固定する。このとき押釦つまみ５０の押圧部５３は挿通穴６７から突出し、揺動つまみ３０の押圧部３５は挿通穴７３から突出する。また取付用アーム６５は連結部材収納部３７内に収納されている。
【００１９】
またこのときケース１０の４つの係止部１５は取付穴７５に挿入されるので、その先端を熱カシメすることで両者を一体に固定する。
【００２０】
そしてこのケース１０の下にスイッチ基板８０と基台９０とを取り付け、ケース１０の各固定部１７を挿通部８３と挿通部９１に挿通させ、基台９０の下面側で固定部１７の先端を熱カシメすれば、この多方向押圧型スイッチが完成する。
【００２１】
図３は以上のようにして組み立てられた多方向押圧型スイッチの斜視図、図４は図３のＡ−Ａ線上概略断面図、図５は図３のＢ−Ｂ線上概略断面図である。これらの図に示すように、押釦つまみ５０の押圧部５３は中央のスイッチ接点８１の上に、揺動つまみ３０の押圧部３５はリング状に配列されたスイッチ接点８１の上に、当接又は接近している。
【００２２】
そして押釦つまみ５０を押圧すると押圧部５３が下降してスイッチ接点８１が押圧され可動接点板が反転することでオンする。押釦つまみ５０の押圧を解除すれば元の位置に自動復帰しスイッチ接点８１はオフする。
【００２３】
一方揺動つまみ３０の何れかの押圧方向指示部３３（図１参照）の部分を押圧すれば、押圧した部分が下降し、下降した部分の真下の押圧部３５がこれに対向するスイッチ接点８１を押圧してオンする。揺動つまみ３０への押圧を解除すれば元の位置に自動復帰しスイッチ接点８１はオフする。
【００２４】
ところで前記押釦つまみ５０を貼りつけた連結部材６０の押釦つまみ固定部６１の周囲には切りこみ６９，６９，７１，７１が設けられているので、押釦つまみ固定部６１の部分は押釦つまみ５０を押し下げた際に撓み易く、その上下動が容易に行える。なお押釦つまみ５０の押圧ストロークが短いような場合は、必ずしも切りこみ６９，６９，７１，７１は必要ない。また切りこみ６９，６９又は切りこみ７１，７１の何れか一方のみを設けても良い。
【００２５】
一方もし前記揺動部材３０の隣り合う押圧方向指示部３３の間の部分を押圧した場合は、隣り合う押圧方向指示部３３の真下の２つの押圧部３５が同時に下降するが、両押圧部３５がこれらに対向するスイッチ接点８１をオンする前に、両者の間にあるストッパー３９がスイッチ基板８０に当接し、その下降を阻止する。従って隣り合う２つのスイッチ接点８１，８１が同時にオン（作動）することはない。
【００２６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状や材質であっても、本願発明の作用・効果を奏する以上、本願発明の技術的思想の範囲内である。
【００２７】
例えば連結部材６０の形状は種々の変形が可能であり、また連結部材６０を固定する部材はケース１０に限定されず、他の各種固定用部材に固定しても良い。
【００２８】
またスイッチ基板８０を硬質材で構成するような場合は、基台９０は必ずしも必要ない。
【００２９】
【発明の効果】
以上詳細に説明したように本発明によれば以下のような優れた効果を有する。
▲１▼可撓性フイルムからなる連結部材を用いているので、薄型化が図れる。
【００３０】
(2)揺動つまみと押釦つまみと固定用部材とを連結部材によって連結するだけで良いので、異なる動作をする揺動つまみと押釦つまみとを具備する多方向押圧型スイッチであっても、その構造・組み立てを簡単にできる。
【００３１】
▲３▼連結部材の押釦つまみを取り付ける部分に切りこみを設けたので、伸びにくいフイルム製の連結部材であっても、押釦つまみの上下動を容易に行うことができる。
【００３２】
(4)揺動つまみの外周を固定用部材で囲み、この固定用部材に連結部材を固定するように構成すれば、固定用部材付きの多方向押圧型スイッチが薄くコンパクトに構成できる。
【図面の簡単な説明】
【図１】本発明の一実施形態にかかる多方向押圧型スイッチの分解斜視図である。
【図２】揺動つまみ３０をその裏面側から見た斜視図である。
【図３】多方向押圧型スイッチの斜視図である。
【図４】図３のＡ−Ａ線上概略断面図である。
【図５】図３のＢ−Ｂ線上概略断面図である。
【符号の説明】
１０  ケース
３０  揺動つまみ
３５  押圧部
３９  ストッパー
５０  押釦つまみ
５３  押圧部
６０  連結部材
６９，７１  切りこみ
８０  スイッチ基板
８１  スイッチ接点
９０  基台
【図１】
0003926077.tif 000002
【図２】
0003926077.tif 000003
【図３】
0003926077.tif 000004
【図４】
0003926077.tif 000005
【図５】
0003926077.tif 000006